【事件の表示】
　特願２００１−３７６５１２「カードゲーム」拒絶査定不服審判事件〔平成１５年　６月２４日出願公開、特開２００３−１７５１４５〕について、次のとおり審決する。
【結　論】
　本件審判の請求は、成り立たない。
【理　由】
第一．手続の経緯
　本願は、平成１３年１２月１０日の出願であって、拒絶理由通知に対応して平成１９年９月２５日に手続補正書が提出され、その後なされた拒絶査定に対し、平成２０年１月２３日に拒絶査定に対する審判請求がなされたものである。
　
第二．本願発明
　本願の請求項１に係る発明（以下「本願発明」という。）は、平成１９年９月２５日付け手続補正書の特許請求の範囲の請求項１に記載された事項により特定される、以下のとおりのものである。
「ルールに従って二人以上のプレイヤでプレイするカードゲームであって、
　前記二人以上のプレイヤがそれぞれ使用する複数枚のカードからなる２以上のデッキと、
　前記２以上のデッキがそれぞれ配置される２以上のデッキ置き場及び前記二人以上のプレイヤのためにそれぞれ予め定められた複数のカード置き場からなる２以上のカードエリアを少なくとも含むプレイフィールドと、
　前記２以上のデッキからそれぞれ引かれた複数枚の前記カードからなり、前記二人以上のプレイヤがそれぞれ使用する２以上の手札とを備え、
　前記デッキ中の前記複数枚のカードには、前記カード置き場に置かれてプレイヤが支配するカード置き場を確定する複数枚のテリトリカードと、前記複数のカード置き場から選択された前記カード置き場に存在してカードの対戦に使用される複数枚のユニットカードとが少なくとも含まれ、
　少なくとも前記複数枚のテリトリカード及び前記複数枚のユニットカードの表面には、視覚によって識別できる複数種類のシンボルから選択された１以上のシンボルがそれぞれ表示されており、
　前記ルールには、前記プレイヤの１枚以上の前記ユニットカードが前記カード置き場に存在し得る条件として、前記ユニットカードに表示された前記１以上のシンボルと、１以上の前記カード置き場に存在する前記プレイヤの１枚以上の前記テリトリカードに表示された前記１以上のシンボルとが所定の関係を満たしていなければならないというカード存在条件が含まれており、
　前記複数種類のシンボルは、色の相違により種類が識別可能に構成されており、
　前記テリトリカードの前記表面には、前記１以上のシンボルが、複数箇所に表示されていることを特徴とするカードゲーム。」
　
第三．特許要件（特許法第２９条第２項）の検討
１．引用刊行物記載事項
　原査定の拒絶の理由に引用された特開２０００−２８８１５５号公報並びに周知事項を例示するための刊行物である特開平８−３０８９８０号公報及び特開２０００−９３５７３号公報には以下の事項が記載されている。
（Ａ）特開２０００−２８８１５５号公報（以下「刊行物Ａ」という。）
「【０００４】従って、本発明の目的は上記従来技術が有する問題を解消し、キャラクターの魅力と世界観を楽しむことができるトレーディングカードゲーム「ザ・ミラクルオブ  ザ・ゾーン」のゲーム方法を提供することを目的としたものである。
【００１６】図１に示す召喚師カード１は、中央に召喚師２の姿が描かれ、この召喚師カード１の「天」、「左」、「右」の３辺１ａ、１ｂ、１ｃの各辺には、１辺につき最小１〜最大３ケの「属性マーク」３ｉ、３ｈ、３ｃが配置してあり、この召喚師カード１の下辺１ｄには、当該召喚師２の名前４が記されており、この名前４の下の特徴エリア５には、当該召喚師２の特徴、能力、召喚獣（後述する）との相性６が記され、特徴エリア５の左辺５ａには「抜き手」７が記され、特徴エリア５の右辺５ｂには当該召喚師２のレベル８、性別９及び年齢１０が記されており、特徴エリア５の下辺５ｃには「＋修正」１１の内容が記されている。
【００２０】図３に示す召喚獣カード２０は、その中央に召喚獣２２の姿が描かれており、その召喚獣カード２０の下辺２２ａには当該召喚獣２２の名前２３が記され、その名前２３の下方の特徴エリア２４には当該召喚獣２２の特徴が記され、その特徴エリア２４の右辺２４ａには属性マーク３ｃやパワーの数値２５が記されている。
【００３２】次に、この「ザ・ミラクル  オブ  ザ・ゾーン」のゲームの手順を説明する。図９は「ザ・ミラクル  オブ  ザ・ゾーン」のカード配置エリアの説明図である。「召喚師カード置場」８５は、自分が所有するカード５５枚のうちの、召喚師カード１を５枚をまとめた山８３を裏向きに置くエリアである。「山札置場」８６は、自分が所有するカード５５枚のうちの、召喚獣カード２０及び補助カード３０〜７０を適宜組み合わせて５０枚をまとめた山８４（以下、このことを「ゾーン」８４という）を裏向きに置くエリアである。
【００３３】「場」８８は、手札（後述する）から召喚獣カード２０や補助カード３０〜７０を出すエリアであり、「場」８８の中央８８ａは、山８３の最上位の召喚師カード１を出すエリアである。「ホール」（墓場）９０は、「山札置場」８６の上方に位置し、１枚目の召喚師カード１のゲームが終わった後、「場」８８に残された召喚師カード１以外のカードを裏向きにして横向きに置くエリアである。「使用済みの召喚師カード置場」９２は、「山札置場」８６の下方に位置し、対戦を終えた召喚師カード１を表向きに置くエリアである。・・・
【００３４】第１ステップ
図１０に示すように、ゲームは自分８０と相手８２との１対１（すなわち、２人対戦）で行う。先ず、好みの組み合わせにした（以下、このことを「チューニングした」という）自分８０のカード（以下、これを「デッキ」という）５５枚を、５枚の召喚師カード１の山８３と、５０枚の召喚獣カード２０及び補助カード３０〜７０のゾーン８４とに分ける。
【００３９】また、５０枚の召喚獣カード２０及び補助カード３０〜７０の組み合わせは、下記の表４に示すように選択する。・・・なお、「召喚獣カード」２０と「補助カード」３０〜７０との枚数の割合は任意であるが、３０：２０が好ましい。
【００４２】第２ステップ
図１１に示すように、「山札置場」８６のゾーン８４の最上段からカードを７枚引いて、７枚のカードを自分８０の手札８７とする。このとき、相手８２に自分８０の手札８７を見られないように手札８７を確認する。次に、「召喚師カード置場」８５の最上段の召喚師カード１を、お互いに同時に「場」８８の中央８８ａに出し、自分８０の召喚師２の名前を相手８２に伝える。
【００４４】第３ステップ
図１２に示すように、先手は、ゾーン８４の最上段のカードを１枚引き、手札８７を８枚にする。次に、８枚の手札８７の中から、召喚師カード１の「天」、「左」、「右」、「下」の４辺１ａ、１ｂ、１ｃ、１ｄの中の１辺の「場」８８に出すための１枚のカードを選ぶ。
【００４５】ここで、召喚獣カード２０は、召喚師カード１の「天」、「左」、「右」についている属性マーク３ａ〜３ｍに合えば、どこの「場」８８でも出すことができる。また、ｈｅｌｐカード３０やｈｅｌｐ＆ＳＰカード５０は、召喚師カード１の下辺１ｄの「場」８８に出すことができる。例えば、召喚師カード１の「天」の属性マークが「黄金」３ｉとすると、８枚の手札８７の中から、属性マークが「黄金」３ｉの召喚獣カード２０を選ぶ。なお、出すカードと出す場所に順番はなく、任意に出すことができる。」
　
　そして、刊行物Ａの発明の詳細な説明は、主として自分８０のカードについて説明しているが、同様のカードが相手８２側にもあることは当然である。
　以上の記載及び刊行物Ａの図面等に基づけば、刊行物Ａには次の発明（以下「引用発明」という。）が記載されていると認めることができる。
「自分８０と相手８２との２人対戦で行うトレーディングカードゲームであって、
　前記自分８０及び相手８２のデッキである５５枚のカードと、
　前記自分８０及び相手８２が所有する召喚師カード１を置くエリアである召喚師カード置場８５、前記自分８０及び相手８２が所有する召喚獣カード２０及び補助カード３０〜７０を置くエリアである山札置場８６、召喚獣カード２０や補助カード３０〜７０を出すエリアである場８８、ホール９０、使用済みの召喚師カード置場９２を含むカード配置エリアと、
　前記山札置場８６の山８４の最上段からカードを７枚引いてなる前記自分８０及び相手８２の手札８７とを備え、
　前記デッキには、前記場８８の中央８８ａに出す５枚の前記召喚師カード１と、３０枚の前記召喚獣カード２０と、２０枚の補助カード３０〜７０が含まれ、
　５枚の前記召喚師カード１には最小１〜最大３ケの属性マークが配置してあり、３０枚の前記召喚獣カード２０には１ケの属性マークが記されており、
　前記召喚獣カード２０は、前記召喚師カード１の前記属性マークに合えば、どこの場８８でも出すことができ、
　前記属性マークは、火３ａ、水３ｂ、大地３ｃ、大気３ｄ、森３ｅ、光３ｆ、闇３ｇ、機械３ｈ、黄金３ｉ、貝３ｊの１０種類あり、
　５枚の前記召喚師カード１には３辺の各辺に１辺につき最小１〜最大３ケの属性マークが配置してあるトレーディングカードゲーム。」
　
（Ｂ）特開平８−３０８９８０号公報（以下「刊行物Ｂ」という。）
「【０００５】【作用】ストップカードは、指定箇所を１周の間だけせき止めることが出来る機能を持つ。他の人は、ストップカードが出された箇所にカードを出すことが出来なくなる。パスカードは、数字カードを出す代わりにこのカードを出すことによって、パスをすることが出来る機能を持つ。オールマイティーカードは、任意の数字カードの代わりとなって、次の数宇カードを出すことが出来る機能を持つ。これらのカードを使用することによって、より高度な戦略を立てながらゲームを進めることが可能となる。また、数字カードを色分けすることによって、識別し易くなる。」
　
（Ｃ）特開２０００−９３５７３号公報（以下「刊行物Ｃ」という。）
「【０００６】手持ちカードは、アクションカードを含む。アクションカードは、他のプレーヤーの点数カードを１枚横取りできるスチールカード、点数カードを他のプレーヤーの点数カードと１枚づつ交換できるチェンジカード、自身の点数カード又は他のプレーヤーの点数カードを１枚戻すことができるリリースカード、自分の点数カードを他のいずれかのプレーヤーの点数カードと全て交換できるオールチェンジカード及び他のアクションカードによるアクションを阻止できるストップカードのいずれか１つとする。手持ちカードと点数カードとの裏面の色を変える。これにより、カードを場に置いたときに、両者の区別が容易となる。」
　
２．引用発明と本願発明との対比
　そこで、本願発明と引用発明とを比較すると、
　引用発明の「自分８０と相手８２」は、本願発明の「二人以上のプレイヤ」に相当し、以下同様に、
「トレーディングカードゲーム」は「カードゲーム」に、
「５５枚のカード」は「複数枚のカード」に、
「召喚師カード置場８５」及び「山札置場８６」は「デッキ置き場」に、
「場８８」は「カード置き場」に、
「カード配置エリア」は「プレイフィールド」に、
「前記自分８０及び相手８２の手札８７」は「前記二人以上のプレイヤがそれぞれ使用する２以上の手札」に、
「前記デッキ」は「前記デッキ中の前記複数枚のカード」に、
「前記場８８の中央８８ａに出す」は「前記カード置き場に置かれ」に、
「召喚師カード１」は「テリトリカード」に、
「召喚獣カード２０」は「ユニットカード」に、
「属性マーク」は「シンボル」に、
「記されており」は「表示されており」に、
「３辺の各辺」は「複数箇所」に、
「配置してある」は「表示されている」に、それぞれ相当する。
　また、刊行物Ａ全体の記載等からみて以下のことが言える。
　なお、山括弧内の記載は、相当する本願発明の構成を示す。
　
ａ．引用発明の「２人対戦で行うトレーディングカードゲーム」がルールに従ってプレイするものであることは当然であるから、引用発明は本願発明の「ルールに従って二人以上のプレイヤでプレイするカードゲーム」に相当するカードゲームであるということができる。
　
ｂ．引用発明の「自分８０及び相手８２のデッキ」はそれぞれ自分８０及び相手８２が使用するものであることが明らかであり、該デッキは５５枚のカード＜複数枚のカード＞からなっているから、引用発明の「自分８０及び相手８２のデッキである５５枚のカード」は本願発明の「二人以上のプレイヤがそれぞれ使用する複数枚のカードからなる２以上のデッキ」に相当するものということができる。
　
ｃ．引用発明の「召喚師カード１」及び「召喚獣カード２０及び補助カード３０〜７０」は、１つのデッキとなっており、自分８０及び相手８２が使用するデッキがそれぞれ「召喚師カード置場８５」及び「山札置場８６」に置かれるのであるから、引用発明の「召喚師カード置場８５」及び「山札置場８６」は本願発明の「前記２以上のデッキがそれぞれ配置される２以上のデッキ置き場」に相当するものといえる。
　また、引用発明の「場８８」、「ホール９０」及び「使用済みの召喚師カード置場９２」に複数のカードが置けるようになっていることは図９等からみて明らかであるから、引用発明の「場８８」、「ホール９０」及び「使用済みの召喚師カード置場９２」は本願発明の「前記二人以上のプレイヤのためにそれぞれ予め定められた複数のカード置き場」に相当するものといえる。
　そして、以上を考え合わせると、引用発明は本願発明の「前記２以上のデッキがそれぞれ配置される２以上のデッキ置き場及び前記二人以上のプレイヤのためにそれぞれ予め定められた複数のカード置き場からなる２以上のカードエリアを少なくとも含むプレイフィールド」に相当する構成を有するものということができる。　
　
ｄ．引用発明の「カードを７枚引いてなる」手札８７は本願発明の「引かれた複数枚の前記カードからな」る手札ということができ、引用発明の「前記山札置場８６の山８４」と本願発明の「前記２以上のデッキ」は“ゲームで使用する複数枚のカード”である点で共通しているから、引用発明と本願発明は、“ゲームで使用する複数枚のカードからそれぞれ引かれた複数枚の前記カードからなり、前記二人以上のプレイヤがそれぞれ使用する２以上の手札”を備える点で共通している。
　
ｅ．引用発明の「召喚師カード１」は場８８の中央８８ａに出されてその後「召喚獣カード２０」が置けるか否かを決めるものであるから、本願発明における「前記カード置き場に置かれてプレイヤが支配するカード置き場を確定する」に相当する機能を有するカードということができ、引用発明の「召喚獣カード２０」は「召喚師カード１」の左右及び上のいずれかの場８８から選択されたところに置かれるものであるから、本願発明における「前記複数のカード置き場から選択された前記カード置き場に存在してカードの対戦に使用される」に相当する機能を有するカードということができる。
　
ｆ．引用発明の「属性マーク」が視覚によって識別できるものであることや「召喚師カード１」及び「召喚獣カード２０」の表面に表示されることは、図１〜３の記載から明らかであり、それぞれのカードに表示される「属性マーク」が複数種類の属性マークから選択された１以上の属性マークであることも同じく図１〜３の記載から明らかであるから、引用発明は本願発明における「少なくとも前記複数枚のテリトリカード及び前記複数枚のユニットカードの表面には、視覚によって識別できる複数種類のシンボルから選択された１以上のシンボルがそれぞれ表示されており」に相当する構成を有するものということができる。
　
ｇ．引用発明の「召喚獣カード２０」は該カードに記されている「属性マーク」が場８８の中央８８ａに出されている「召喚師カード１」に配置してある属性マークに合えば前記場８８に出すことができるものであるから、引用発明のカードゲームにおけるルールにおいても、「召喚獣カード２０」＜ユニットカード＞が場８８＜カード置き場＞に存在し得る条件としては、該「召喚獣カード２０」に記されている「属性マーク」＜ユニットカードに表示された前記１以上のシンボル＞が場８８の中央８８ａに出されている「召喚師カード１」に配置してある属性マーク＜１以上の前記カード置き場に存在する前記プレイヤの１枚以上の前記テリトリカードに表示された前記１以上のシンボル＞に合うという条件＜所定の関係を満たしていなければならないというカード存在条件＞が含まれているということができる。
　
　以上を総合すると、両者は、
「ルールに従って二人以上のプレイヤでプレイするカードゲームであって、
　前記二人以上のプレイヤがそれぞれ使用する複数のカードからなる２以上のデッキと、
　前記２以上のデッキがそれぞれ配置される２以上のデッキ置き場及び前記二人以上のプレイヤのためにそれぞれ予め定められた複数のカード置き場からなる２以上のカードエリアを少なくとも含むプレイフィールドと、
　ゲームで使用する複数枚のカードからそれぞれ引かれた複数枚の前記カードからなり、前記二人以上のプレイヤがそれぞれ使用する２以上の手札とを備え、
　前記デッキ中の前記複数枚のカードには、前記カード置き場に置かれてプレイヤが支配するカード置き場を確定する複数枚のテリトリカードと、前記複数のカード置き場から選択された前記カード置き場に存在してカードの対戦に使用される複数枚のユニットカードとが少なくとも含まれ、
　少なくとも前記複数枚のテリトリカード及び前記複数枚のユニットカードの表面には、視覚によって識別できる複数種類のシンボルから選択された１以上のシンボルがそれぞれ表示されており、
　前記ルールには、前記プレイヤの１枚以上の前記ユニットカードが前記カード置き場に存在しうる条件として、前記ユニットカードに表示された前記１以上のシンボルと、１以上の前記カード置き場に存在する前記プレイヤの１枚以上の前記テリトリカードに表示された前記１以上のシンボルとが所定の関係を満たしていなければならないというカード存在条件が含まれており、
　前記テリトリカードの前記表面には、シンボルが、複数箇所に表示されているカードゲーム。」
の点で一致し、以下の点で相違している。
　
［相違点１］
　本願発明の「手札」がデッキから引かれたものであるのに対し、引用発明の「手札８７」はデッキの一部である「山札置場８６の山８４」すなわち「召喚師カード１」を含まない複数枚のカードから引かれたものである点。
［相違点２］
　本願発明の「複数種類のシンボル」は色の相違により種類が識別可能に構成されているのに対し、引用発明の１０種類ある「属性マーク」＜シンボル＞は色の相違により種類が識別可能に構成されているか否か明らかでない点。
［相違点３］
　本願発明の「前記１以上のシンボル」はテリトリカードの表面の複数箇所に表示されているのに対し、引用発明の「属性マーク」＜シンボル＞は「召喚獣カード２０」＜ユニットカード＞の「３辺の各辺」＜複数箇所＞に配置してあるものの各辺の「属性マーク」はそれぞれ異なっていても良い点。
　
３．当審の判断
［相違点１について］
　最初に場に出されて他のカードを場に出す際のもととなる種カードを手札中に存在可能とすることは、例えば、七並べにおいて種カードである４種類の７のカードも合わせて手札としているように従来周知の事項（以下「周知事項１」という。）であるから、引用発明において種カードである「召喚師カード１」を別扱いせずに該カードも手札中に存在可能となるように、デッキすなわち５５枚のカードから引いて手札とすることは、カードゲームの分野における通常の知識を有する者（以下「当業者」という。）が容易に想到し得る事項である。
［相違点２について］
　カードゲームに用いるカードを識別し易くする手段として色を相違させることは、上記刊行物Ｂ及びＣに記載されるように従来周知の事項（以下「周知事項２」という。）であるから、引用発明において「属性マーク」＜シンボル＞の色を相違させて相違点２に係る本願発明の構成とすることは当業者が容易に想到し得る事項である。
［相違点３について］
　カード表面の複数箇所に同じシンボルを表示することは、例えば、トランプカードに見られるように従来周知の事項（以下「周知事項３」という。）であるから、引用発明において「召喚獣カード２０」の「３辺の各辺」に配置してある「属性マーク」を同じ属性マーク又は同じ属性マークの組み合わせとして相違点３に係る本願発明の構成とすることは当業者が容易に想到し得る事項である。
　
　さらに、本願発明の作用効果も、引用発明及び周知事項１〜３から当業者が予測できる範囲のものである。
　したがって、本願発明は、引用発明及び周知事項１〜３に基づいて当業者が容易に発明をすることができたものである。
　
第四．むすび
　以上のとおり、本願発明は、引用発明及び周知事項１〜３に基づいて、当業者が容易に発明をすることができたものであるから、特許法第２９条第２項の規定により特許を受けることができない。
　そして、他の請求項（請求項２〜１０）に係る発明については検討するまでもなく、本願は拒絶すべきものである。
　よって、結論のとおり審決する。